(57)【要約】【課題】  把持部を有する形態の種類を増やすことができるパウチ容器体を提供する。【解決手段】  パウチ容器体は、パウチ容器と、パウチ容器に装着されるシート体と、を備え、パウチ容器は、袋体と、袋体に固定される注出体と、を備え、袋体は、対面する長尺な第１面シート及び第２面シートを備え、注出体は、第１面シートの長手方向の端部で且つ短手方向の中途部に固定され、シート体は、把持される把持部と、注出体を保持する保持部と、変形して筒状に形成され、内部に袋体を収容する収容部と、を備える。【選択図】  図３
2019059539.tif 000002
【特許請求の範囲】
【請求項１】
パウチ容器と、前記パウチ容器に装着されるシート体と、を備え、
前記パウチ容器は、袋体と、前記袋体に固定される注出体と、を備え、
前記袋体は、対面する長尺な第１面シート及び第２面シートを備え、
前記注出体は、前記第１面シートの長手方向の端部で且つ短手方向の中途部に固定され、
前記シート体は、把持される把持部と、前記注出体を保持する保持部と、変形して筒状に形成され、内部に前記袋体を収容する収容部と、を備える、パウチ容器体。
【請求項２】
前記保持部は、挿入される前記注出体を開口縁部で保持する保持開口部を備え、
前記開口縁部の少なくとも一部は、シート片が折り曲げられて、形成される、請求項１に記載のパウチ容器体。
【請求項３】
前記保持部は、挿入される前記注出体を開口縁部で保持する保持開口部と、前記保持開口部と連通し、前記保持開口部よりも大きい連通開口部と、前記連通開口部の開口縁部の一部に接続され、前記連通開口部を開閉可能な開閉シート片と、を備え、
前記開閉シート片の端縁部は、前記開閉シート片が前記連通開口部を閉塞する状態で、前記保持開口部の前記開口縁部の一部を構成する、請求項１又は２に記載のパウチ容器体。
【請求項４】
前記保持部は、挿入される前記注出体を開口縁部で保持する保持開口部と、前記保持開口部に近づくように弾性変形された状態で、前記パウチ容器に接する弾性シート片と、を備える、請求項１〜３の何れか１項に記載のパウチ容器体。
【請求項５】
前記弾性シート片は、前記パウチ容器に接した状態で、前記保持開口部の前記開口縁部の少なくとも一部と重なる、請求項４に記載のパウチ容器体。
【請求項６】
前記袋体に対する前記シート体の内周面の摩擦係数は、前記袋体に対する前記シート体の外周面の摩擦係数よりも、大きい、請求項１〜５の何れか１項に記載のパウチ容器体。
【請求項７】
前記袋体は、前記第１面シートの長手方向の一端側と前記第２面シートの長手方向の一端側との間に配置される第１ガゼットシートと、前記第１面シートの長手方向の他端側と前記第２面シートの長手方向の他端側との間に配置される第２ガゼットシートと、を備え、
前記注出体は、前記第１面シートと前記第１ガゼットシートとの間に固定される、請求項１〜６の何れか１項に記載のパウチ容器体。
【請求項８】
請求項１〜７の何れか１項に記載のパウチ容器体に用いられる、シート体。
【発明の詳細な説明】
【技術分野】
【０００１】
本発明は、パウチ容器と、パウチ容器に装着されるシート体とを備えるパウチ容器体に関し、また、パウチ容器に装着されるシート体に関する。
【背景技術】
【０００２】
従来、パウチ容器体として、パウチ容器と、パウチ容器に装着されるシート体とを備えるパウチ容器体が、知られている（例えば、特許文献１）。そして、シート体が、把持される把持部を備えているため、把持部が把持されることで、パウチ容器の内部に充填されている内容物が容易に注ぎ出される。
【０００３】
パウチ容器は、対面する長尺な第１面シート及び第２面シートを有する袋体と、袋体に固定される注出体とを備えている。そして、特許文献１に係るパウチ容器体においては、注出体は、第１面シートの長手方向の端部で且つ短手方向の端部に固定されており、シート体は、折り曲げられて扁平状に屈曲されることで、パウチ容器に装着されている。
【０００４】
ところで、注出体が第１面シートの長手方向の端部で且つ短手方向の中途部に固定されるパウチ容器も、存在している。そして、斯かるパウチ容器に対して、充填される内容物を注ぎ易くするために、斯かるパウチ容器に把持部を有するパウチ容器体の提供が要望されている。
【先行技術文献】
【特許文献】
【０００５】
【特許文献１】特開２００３−２６７３９７号公報
【発明の概要】
【発明が解決しようとする課題】
【０００６】
そこで、課題は、注出体が第１面シートの長手方向の端部で且つ短手方向の中途部に固定されるパウチ容器に対して、把持部が設けられたパウチ容器体を提供することであり、また、当該パウチ容器体を提供するためのシート体を提供することである。
【課題を解決するための手段】
【０００７】
パウチ容器体は、パウチ容器と、前記パウチ容器に装着されるシート体と、を備え、前記パウチ容器は、袋体と、前記袋体に固定される注出体と、を備え、前記袋体は、対面する長尺な第１面シート及び第２面シートを備え、前記注出体は、前記第１面シートの長手方向の端部で且つ短手方向の中途部に固定され、前記シート体は、把持される把持部と、前記注出体を保持する保持部と、変形して筒状に形成され、内部に前記袋体を収容する収容部と、を備える。
【０００８】
また、パウチ容器体においては、前記保持部は、挿入される前記注出体を開口縁部で保持する保持開口部を備え、前記開口縁部の少なくとも一部は、シート片が折り曲げられて、形成される、という構成でもよい。
【０００９】
また、パウチ容器体においては、前記保持部は、挿入される前記注出体を開口縁部で保持する保持開口部と、前記保持開口部と連通し、前記保持開口部よりも大きい連通開口部と、前記連通開口部の開口縁部の一部に接続され、前記連通開口部を開閉可能な開閉シート片と、を備え、前記開閉シート片の端縁部は、前記開閉シート片が前記連通開口部を閉塞する状態で、前記保持開口部の前記開口縁部の一部を構成する、という構成でもよい。
【００１０】
また、パウチ容器体においては、前記保持部は、挿入される前記注出体を開口縁部で保持する保持開口部と、前記保持開口部に近づくように弾性変形された状態で、前記パウチ容器に接する弾性シート片と、を備える、という構成でもよい。
【００１１】
また、パウチ容器体においては、前記弾性シート片は、前記パウチ容器に接した状態で、前記保持開口部の前記開口縁部の少なくとも一部と重なる、という構成でもよい。
【００１２】
また、パウチ容器体においては、前記袋体に対する前記シート体の内周面の摩擦係数は、前記袋体に対する前記シート体の外周面の摩擦係数よりも、大きい、という構成でもよい。
【００１３】
また、パウチ容器体においては、前記袋体は、前記第１面シートの長手方向の一端側と前記第２面シートの長手方向の一端側との間に配置される第１ガゼットシートと、前記第１面シートの長手方向の他端側と前記第２面シートの長手方向の他端側との間に配置される第２ガゼットシートと、を備え、前記注出体は、前記第１面シートと前記第１ガゼットシートとの間に固定される、という構成でもよい。
【００１４】
また、シート体は、前記のパウチ容器体に用いられる。
【図面の簡単な説明】
【００１５】
【図１】図１は、一実施形態に係るパウチ容器体の全体右側面図である。
【図２】図２は、同実施形態に係るパウチ容器体の全体正面図である。
【図３】図３は、同実施形態に係るパウチ容器体の全体平面図である。
【図４】図４は、同実施形態に係るパウチ容器の全体斜視図である。
【図５】図５は、同実施形態に係るパウチ容器の全体分解斜視図である。
【図６】図６は、同実施形態に係るシート体の全体展開図である。
【図７】図７は、図６のVII領域拡大図である。
【図８】図８は、同実施形態に係るシート体の要部正面図である。
【図９】図９は、図８のIX−IX線における拡大断面図である。
【図１０】図１０は、同実施形態に係るシート体で注出体を保持させる手順を示す要部正面図である。
【図１１】図１１は、同実施形態に係るシート体で注出体を保持させる手順を示す要部正面図である。
【図１２】図１２は、同実施形態に係るシート体で注出体を保持させる手順を示す要部正面図である。
【図１３】図１３は、同実施形態に係るシート体で注出体を保持させる手順を示す要部正面図である。
【図１４】図１４は、他の実施形態に係るパウチ容器体の全体平面図である。
【図１５】図１５は、さらに他の実施形態に係るパウチ容器体の全体平面図である。
【図１６】図１６は、さらに他の実施形態に係るシート体の全体展開図である。
【図１７】図１７は、同実施形態に係るシート体の横方向に沿って切断した要部断面図である。
【発明を実施するための形態】
【００１６】
以下、パウチ容器体及びシート体における一実施形態について、図１〜図１３を参照しながら説明する。なお、各図（図１４〜図１７も同様）において、図面の寸法比と実際の寸法比とは、必ずしも一致しておらず、また、各図面の間での寸法比も、必ずしも一致していない。
【００１７】
各図、及び、以下の説明において、第１方向Ｄ１は、前後方向Ｄ１ともいい、第１方向Ｄ１のうち、図における矢印方向を前方とし、図における矢印方向と反対方向を後方とする。そして、第１方向Ｄ１と直交する第２方向Ｄ２は、左右方向Ｄ２ともいい、第２方向Ｄ２のうち、図における矢印方向を右方とし、図における矢印方向と反対方向を左方とする。
【００１８】
また、第１方向Ｄ１及び第２方向Ｄ２とそれぞれ直交する第３方向Ｄ３は、上下方向Ｄ３ともいい、第３方向Ｄ３のうち、図における矢印方向は、上方とし、図における矢印方向と反対方向を下方とする。なお、前後、左右、及び上下については、説明の便宜上で用いるためであって、実物において、前後が反対になったり、左右が反対になったり、そして、上下が反対になったりしてもよいことは勿論である。
【００１９】
図１〜図３に示すように、本実施形態に係るパウチ容器体１は、パウチ容器２と、パウチ容器２に装着されるシート体５とを備えている。また、パウチ容器体１は、シート体５の端部５ａ同士を固定させる固定体１０を備えている。
【００２０】
パウチ容器２は、内部に内容物が充填される袋体３と、袋体３に固定され、袋体３の内部の内容物を袋体３の外部に注ぎ出すための注出体４とを備えている。また、シート体５は、把持される把持部６と、内部に袋体３を収容する収容部７と、注出体４を保持する保持部８とを備えている。
【００２１】
袋体３は、筒状に形成されている。そして、袋体３は、自立可能に形成されている。また、注出体４は、袋体３の上方側で且つ前方側に配置されている。そして、注出体４は、シート体５から一部が前方に突出した状態で、シート体５の保持部８に保持されている。例えば、パウチ容器２は、充填量が１．０Ｌ以上、好ましくは１．５Ｌ以上の大容量の容器であることが好ましい。
【００２２】
把持部６は、把持される把持本体部６ａと、指が入れられる把持開口部６ｂとを備えている。そして、把持本体部６ａは、シート体５の端部５ａ同士が重なることで、構成されている。具体的には、把持本体部６ａは、シート体５の一端部５ａと、シート体５の他端部５ａと、一端部５ａに対して折曲部５ｃで折り曲げられて他端部５ａ側の把持開口部６ｂを通過して他端部５ａを引っ掛ける引掛シート片５ｂとで構成されている（図６参照）。また、固定体１０は、把持本体部６ａを挟むことで、把持本体部６ａの外側に装着されている。
【００２３】
したがって、固定体１０がシート体５よりも厚みがあるため、把持される部分の剛性が大きくなる。これにより、パウチ容器体１を把持し易くすることができる。また、固定体１０の表面を滑らかにしたり、指に沿うような形状にしたりすることで、パウチ容器体１をさらに把持し易くすることができる。
【００２４】
固定体１０を形成する材料は、特に限定されないが、例えば、加工が容易な硬質樹脂で形成されていることが好ましい。なお、固定体１０は、斯かる構成に限られず、例えば、シート体５の端部５ａ同士を貼り合わせるシール材である、という構成でもよい。
【００２５】
把持部６は、シート体５の周方向Ｄ４において、保持部８と離れている。そして、保持部８は、シート体５の前方側に配置されていることに対して、把持部６は、シート体５の後方側に配置されていることが好ましい。具体的には、把持部６の位置は、シート体５の周方向Ｄ４において、保持部８の位置と１６５°〜１９５°だけ離れていることが好ましい。
【００２６】
斯かる構成によれば、把持部６が上方側を向くように、パウチ容器体１が持ち上げられると、保持部８で保持される注出体４は、下方側を向くことになる。したがって、例えば、大容量のパウチ容器２に対しても、注出体４から内容物を注ぎ出すことを容易に行うことができる。
【００２７】
また、保持部８は、シート体５の上方側に配置されていることに対して、把持部６は、シート体５の下方寄りに配置されていることが好ましい。斯かる構成によれば、特に、パウチ容器２の重量が重い（内容物がまだ充分に存在されている）際に、パウチ容器２の重心位置が、注出体４と把持部６とを結ぶ線（仮想線）の近傍に位置することになる。
【００２８】
これにより、把持部６を把持して、パウチ包装体１を傾けて、注出体４から内容物を注ぎ出す際に、パウチ容器２の重心と中心として、パウチ包装体１を傾けることができる。したがって、パウチ包装体１を円滑に傾けることができるため、大容量のパウチ容器２に対しても、注出体４から内容物を注ぎ出すことを容易に行うことができる。
【００２９】
ところで、収容部７は、シート体５が変形することによって、筒状に形成されている。具体的には、収容部７は、シート体５が湾曲に弾性変形することによって、筒状に形成されている。これにより、収容部７は、袋体３の形状に対応した形状となる。具体的には、収容部７は、袋体３と接するような形状となる。本実施形態においては、袋体３が柱状であるため、収容部７は、円筒状になっている。このように、収容部７は、袋体３の形状に関わらず、袋体３を収容することができる。
【００３０】
なお、収容部７は、例えば、シート体５が屈曲して変形することによって、多角形の筒状に形成されている、という構成でもよく、扁平状の筒状に形成されている、という構成でもよい。また、収容部７は、例えば、シート体５の一部が塑性変形することによって、筒状に形成されている、という構成でもよい。
【００３１】
また、自立していたパウチ容器体１が持ち上げられることで、袋体３の形状が変化することに対して、収容部７の形状も追従して変化する。そして、内容部の重力によって、袋体３が収容部７と密着するため、収容部７は、袋体３を保持する。これにより、注出体４から内容物を注ぎ出すことを容易に行うことができる。
【００３２】
図４及び図５に示すように、袋体３は、前後方向Ｄ１で対面する長尺な第１面シート３ａ及び第２面シート３ｂを備えている。また、袋体３は、第１面シート３ａの長手方向の一端（上端）側と第２面シート３ｂの長手方向の一端（上端）側との間に配置される第１ガゼットシート３ｃと、第１面シート３ａの長手方向の他端（下端）側と第２面シート３ｂの長手方向の他端（下端）側との間に配置される第２ガゼットシート３ｄとを備えている。
【００３３】
第１面シート３ａ及び第２面シート３ｂのそれぞれの上端部は、第１ガゼットシート３ｃの端部とシールされ、第１面シート３ａ及び第２面シート３ｂのそれぞれの下端部は、第２ガゼットシート３ｄの端部とシールされている。また、第１面シート３ａの短手方向の一端（右端）部は、第２面シート３ｂの短手方向の一端（右端）部とシールされ、第１面シート３ａの短手方向の他端（左端）部は、第２面シート３ｂの短手方向の他端（左端）部とシールされている。
【００３４】
このように、各シート３ａ〜３ｄは、袋体３の内部を密閉するために、互いにシールされている。図４において、シールされている部分は、ドットハンチングで図示されている。そして、袋体３は、内部に内容物が充填されていない際には、第１及び第２ガゼットシート３ｃ，３ｄが折り畳められることで、扁平状となっているのに対して、内部に内容物が充填されている際には、第１及び第２ガゼットシート３ｃ，３ｄが広がることで、柱状になる。
【００３５】
注出体４は、筒状の注出部４ａと、袋体３に固定されるベース部４ｂと、注出部４ａとベース部４ｂとの間に配置される一対のフランジ部４ｃ，４ｄと、一対のフランジ部４ｃ，４ｄ間に配置される中間部４ｅとを備えている。また、注出体４は、注出部４ａに着脱されるキャップ４ｆを備えている。
【００３６】
注出体４は、ベース部４ｂにて、第１面シート３ａと第１ガゼットシート３ｃとの間に固定されている。そして、注出体４は、ベース部４ｂにて、第１面シート３ａの長手方向の端部で且つ短手方向の中途部に配置されている。なお、第１面シート３ａの短手方向の中途部は、第１面シート３ａと第２面シート３ｂとが長手方向（上下方向Ｄ３）に沿ってシールされている位置（図４において、長手方向（上下方向Ｄ３）に沿ってドットハンチングで図示された位置であって、「端部」ともいう）から離れた部分のことである。
【００３７】
また、充填量が１．０Ｌ以上のような、大容量容器においては、注出体４は、第１面シート３ａの長手方向の端部で且つ短手方向の内側部３ｅに配置されていることが好ましい。なお、第１面シート３ａの短手方向の内側部３ｅは、第１面シート３ａの短手方向を四等分に区画した領域のうち、中央の二つの領域のことであり、当該四等分に区画した領域のうち、両側のそれぞれの領域は、外側部３ｆという。
【００３８】
これにより、袋体３が自立した際には、注出体４は、袋体３の上方側で且つ前方側に配置されている。なお、注出体４は、前方に向けて（図４の実線矢印方向に）倒された状態で、シート体５の保持部８に保持される（図１〜図３参照）。
【００３９】
注出部４ａ及びキャップ４ｆは、互いに螺合するために、ネジ形状を備えている。具体的には、注出部４ａは、外周部に、雄ネジを備えており、キャップ４ｆは、内周部に、雌ネジを備えている。これにより、キャップ４ｆが注出部４ａから外されることで、袋体３の内部と外部とが開通される。
【００４０】
一対のフランジ部４ｃ，４ｄは、それぞれ平板状に形成されている。そして、一対のフランジ部４ｃ，４ｄは、隙間を有して、対面するように配置されている。なお、一対のフランジ部４ｃ，４ｄのうち、注出部４ａ寄りは、第１フランジ部４ｃといい、ベース部４ｂ寄りは、第２フランジ部４ｄという。
【００４１】
なお、袋体３（各シート３ａ〜３ｄ）は、可撓性を有し、内部に充填される内容物を密閉できる材料で形成されていれば、特に限定されない。そして、各シート３ｄ〜３ｄが、熱溶着で互いにシールできるように、袋体３（各シート３ａ〜３ｄ）は、熱溶着性を有する樹脂フィルムで形成されていることが好ましい。
【００４２】
熱溶着性を有する樹脂フィルムとしては、例えば、ベースフィルム層（単層であっても複層であってもよい）と、熱溶着性を付与するシーラント層とを有する複層シートが好ましい。また、ベースフィルム層とシーラント層との間、若しくはベースフィルム層が複層の場合には、例えば、その間に、遮光性やガスバリア性を付与するバリア層を設けた複層シートがより好ましい。
【００４３】
ベースフィルム層を構成するフィルムとしては、例えば、ポリエステル、ポリオレフィン、ポリアミド等が例示できる。シーラント層を構成するフィルムとしては、例えば、低密度ポリエチレン、直鎖状低密度ポリエチレン、エチレン−プロピレン共重合体等が例示できる。バリア層としては、例えば、アルミニウム等の金属薄膜、又は塩化ビニリデン、エチレン−ビニルアルコール共重合体等の樹脂フィルム等が例示できる。
【００４４】
なお、各シート３ａ〜３ｄが、例えば接着によってシールされてもよいため、袋体３（各シート３ａ〜３ｄ）は、熱溶着性の樹脂フィルムで形成されている、という構成に限られない。例えば、袋体３（各シート３ａ〜３ｄ）は、非熱溶着性のフィルムで形成されていている、という構成でもよい。
【００４５】
また、注出体４は、所定の剛性を有する材料で形成されていれば、特に限定されない。例えば、袋体３（各シート３ａ〜３ｄ）が熱溶着性を有する樹脂フィルムで形成される場合には、注出体４は、ポリエチレンやポリプロピレン等の熱接着性樹脂で形成されていることが、好ましい。
【００４６】
シート体５は、パウチ容器２に装着される前、即ち、展開された際には、図６及び図７に示すように、１枚のシートで形成されている。なお、図６及び図７（図１６も同様）において、シート体５がパウチ容器２に装着される際に、曲げられる部分（折り曲げられる部分、又は、一時的に曲げられる部分）は、一点鎖線で示されている。
【００４７】
図６〜図９に示すように、シート体５の保持部８は、挿入される注出体４を開口縁部８１ａ〜８１ｄで保持する保持開口部８１と、保持開口部８１と連通し、保持開口部８１よりも大きい連通開口部８２とを備えている。なお、保持開口部８１の開口縁部８１ａ〜８１ｄは、縁のみだけでなく、注出体４と接する縁の周辺の部分も含む。
【００４８】
本実施形態においては、保持開口部８１は、矩形状の開口を有している。そして、保持開口部８１の開口縁部８１ａ〜８１ｄのうち、上方側は、第１開口縁部８１ａといい、下方側は、第２開口縁部８１ｂといい、左方側は、第３開口縁部８１ｃといい、右方側は、第４開口縁部８１ｄという。
【００４９】
保持部８は、折り曲げられる第１シート片８３及び第２シート片８４と、連通開口部８２を開閉可能な開閉シート片８５とを備えている。また、保持部８は、保持開口部８１に近づくように弾性変形された状態で、パウチ容器２に接する弾性シート片８６を備えている。
【００５０】
連通開口部８２は、注出体４よりも大きくなるように、形成されている。具体的には、連通開口部８２は、注出体４のフランジ部４ｃ，４ｄよりも大きくなるように、形成されている。これにより、連通開口部８２に注出体４を挿入させる際に、注出体４が連通開口部８２に引っ掛かることを抑制することができる。
【００５１】
開閉シート片８５は、基端側（右側）の端縁部に配置される接続部８５ａによって、連通開口部８２の開口縁部の一部に接続されている。そして、開閉シート片８５は、接続部８５ａで曲げられることで、連通開口部８２を開放する状態とし、当該曲げを戻されることで、連通開口部８２を閉塞する状態とするように、切り替えられる。そして、開閉シート片８５の先端側（左側）の端縁部８５ｂは、開閉シート片８５が連通開口部８２を閉塞する状態で、保持開口部８１の第４開口縁部８１ｄを構成している。
【００５２】
そして、保持開口部８１の開口縁部８１ａ〜８１ｄは、注出体４を保持する際に、第１フランジ部４ｃ及び第２フランジ部４ｄ間に位置している。これにより、開口縁部８１ａ〜８１ｄがフランジ部４ｃ，４ｄに引っ掛かるため、注出体４が保持開口部８１から抜けることを抑制している。また、開口縁部８１ａ〜８１ｄが、中間部４ｅに接することで、保持開口部８１は、注出体４を支持している。このように、保持開口部８１は、開口縁部８１ａ〜８１ｄで注出体４を保持している。
【００５３】
第１シート片８３が、第１折曲部８３ａで折り曲げられることで、第１折曲部８３ａは、第１開口縁部８１ａを形成している。これにより、第１開口縁部８１ａが、シート２枚分の厚みを有することになるため、第１開口縁部８１ａは、第１シート片８３によって補強されている。したがって、第１開口縁部８１ａの剛性が大きくなるため、第１開口縁部８１ａが変形することを抑制できる。
【００５４】
第２シート片８４が、第２折曲部８４ａで折り曲げられることで、第２折曲部８４ａは、第２開口縁部８１ｂを形成している。これにより、第２開口縁部８１ｂが、シート２枚分の厚みを有することになるため、第２開口縁部８１ｂは、第２シート片８４によって補強されている。したがって、第２開口縁部８１ｂの剛性が大きくなるため、第２開口縁部８１ｂが変形することを抑制できる。
【００５５】
弾性シート片８６は、保持開口部８１よりも上方側に配置される第３折曲部８６ａで折り曲げられることで、保持開口部８１の後方側に近づくように弾性変形している。そして、弾性シート片８６は、第３折曲部８６ａで折り曲げられた状態において、第１開口縁部８１ａと重なる第１縁部８６ｂと、第３開口縁部８１ｃと重なる第２縁部８６ｃと、第４開口縁部８１ｄ（即ち、開閉シート片８５の端縁部８５ｂ）と重なる第３縁部８６ｄとを備えている。
【００５６】
これにより、保持開口部８１の第１、第３、及び第４開口縁部８１ａ，８１ｃ，８１ｄは、それぞれ弾性シート片８６の第１〜第３縁部８６ｂ〜８６ｄによって、補強されている。したがって、第１、第３、及び第４開口縁部８１ａ，８１ｃ，８１ｄの剛性が大きくなるため、第１、第３、及び第４開口縁部８１ａ，８１ｃ，８１ｄが変形することを抑制できる。
【００５７】
このように、各シート片８３，８４，８６によって、保持開口部８１の開口縁部８１ａ〜８１ｄが変形することを抑制できるため、注出体４が保持開口部８１から抜けることを確実に抑制することができ、しかも、注出体４を確実に支持することができる。したがって、保持開口部８１の開口縁部８１ａ〜８１ｄと弾性シート片８６の縁部８６ｂ〜８６ｄとが協働することによって、注出体４を確実に保持することができる。
【００５８】
ところで、弾性シート片８６は、第３折曲部８６ａで折り曲げられることで、部分的に（例えば、第３折曲部８６ａ及びその周辺で）弾性変形しているため、弾性復元力をパウチ容器２に付与することになる。具体的には、弾性シート片８６の縁部８６ｂ〜８６ｄが第２フランジ部４ｄに接しているため、弾性シート片８６は、第２フランジ部４ｄに、保持開口部８１から離れる方向（図９の実線矢印方向）の力を付与する。
【００５９】
これにより、保持開口部８１の開口縁部８１ａ〜８１ｄが第１フランジ部４ｃに加圧接触し、弾性シート片８６の縁部８６ｂ〜８６ｄが第２フランジ部４ｄに加圧接触する。したがって、保持開口部８１及び弾性シート片８６が注出体４に対して固定されるため、保持開口部８１と弾性シート片８６とが協働することによって、注出体４を保持開口部８１で確実に保持することができている。
【００６０】
また、第１シート片８３も弾性変形している。これにより、第１シート片８３は、弾性復元力を、弾性シート片８６を経由して、パウチ容器２に付与している。具体的には、第１シート片８３は、弾性シート片８６を経由して、第２フランジ部４ｄに、保持開口部８１から離れる方向（図９の１点鎖線矢印方向）の力を付与している。したがって、保持開口部８１及び弾性シート片８６が注出体４に対して確実に固定される。
【００６１】
さらに、第２シート片８４も弾性変形している。これにより、第２シート片８４は、弾性復元力を、パウチ容器２に付与している。具体的には、第２シート片８４は、第２フランジ部４ｄに、保持開口部８１から離れる方向（図９の２点鎖線矢印方向）の力を付与している。したがって、保持開口部８１及び弾性シート片８６が注出体４に対して確実に固定される。したがって、保持開口部８１が注出体４に対して確実に固定される。
【００６２】
なお、シート体５は、湾曲したり折り曲げたりできる弾性を有しつつ、注出体４を保持できる剛性を有する材料で形成されていれば、特に限定されない。例えば、シート体５を形成する材料として、可撓性を有する合成樹脂が挙げられる。また、弾性を有するポリエチレン、ポロプロピレン等のポリオレフィン系樹脂を含有するシートがより好ましい。
【００６３】
そして、シート体５が必要な弾性を有しつつ、必要な剛性を有するために、シート体５の厚みは、例えば、０．３ｍｍ〜１．０ｍｍであることが好ましい。
【００６４】
ところで、袋体３に対するシート体５の内周面の摩擦係数は、袋体３に対するシート体５の外周面の摩擦係数よりも、大きくなっている。これにより、袋体３がシート体５の内周面に対して滑り難くなる。したがって、パウチ容器体１が持ち上げられた際に、内容物の重力によって、袋体３がシート体５の内周面（収容部７）と密着することで、シート体５の内周面（収容部７）で袋体３を確実に保持することができる。
【００６５】
なお、袋体３に対するシート体５の内周面の摩擦係数が、袋体３に対するシート体５の外周面の摩擦係数よりも大きくなるように、シート体５の内周面には、高摩擦処理が施されていてもよい。高摩擦処理は、特に限定されないが、例えば、高摩擦処理として、シート体５の材料に、ゴム成分やエラストマー等を添加し、摩擦係数を上げる処理や、シート体５の内周面の少なくとも一部に、高摩擦となる膜を塗布する処理が例示できる。
【００６６】
本実施形態に係るパウチ容器体１の構成については以上の通りであり、次に、本実施形態に係るシート体５で注出体４を保持させる手順の一例について、図１０〜図１３を参照しながら説明する。なお、シート体５で注出体４を保持させる手順は、斯かる手順に限られない。
【００６７】
図１０に示すように、第１シート片８３及び第２シート片８４が折り曲げられ、保持開口部８１の一部が形成されている。そして、開閉シート片８５が曲げられ、連通開口部８２が開放する状態で、注出体４が連通開口部８２に挿入される。このとき、連通開口部８２が注出体４よりも大きいため、注出体４が連通開口部８２に引っ掛かることなく、注出体４は、連通開口部８２に円滑に挿入される。
【００６８】
そして、図１１に示すように、注出体４は、連通開口部８２から保持開口部８１に移動される。このとき、保持開口部８１の第１〜第３開口縁部８１ａ〜８１ｃは、第１フランジ部４ｃ及び第２フランジ部４ｄ（図１０〜図１３においては、図示していない。）間に、位置される。
【００６９】
その後、図１２に示すように、開閉シート片８５の曲げが戻されることで、開閉シート片８５は、連通開口部８２を閉塞する。このとき、開閉シート片８５の端縁部８５ｂが、第１フランジ部４ｃ及び第２フランジ部４ｄ間に、位置されるため、開閉シート片８５の端縁部８５ｂは、保持開口部８１の第４開口縁部８１ｄを構成する。
【００７０】
ところで、開閉シート片８５は、保持開口部８１の第４開口縁部８１ｄを構成する端縁部８５ｂに対して、反対側の端縁部に配置される接続部８５ａで、連通開口部８２の開口縁部と接続されている。これにより、開閉シート片８５の端縁部８５ｂを第１フランジ部４ｃ及び第２フランジ部４ｄ間に位置させる際に、開閉シート片８５を弾性変形させて容易に行うことができる。
【００７１】
その後、図１３に示すように、弾性シート片８６が折り曲げられる。このとき、弾性シート片８６の第１〜第３縁部８６ｂ〜８６ｄは、第１フランジ部４ｃ及び第２フランジ部４ｄ間に、位置される。そして、保持開口部８１と弾性シート片８６とが協働することによって、保持開口部８１及び弾性シート片８６が注出体４に対して固定される。
【００７２】
このように、注出体４が連通開口部８２を経由して保持開口部８１に挿入されるため、注出体４を保持開口部８１で容易に保持させることができる。さらに、保持開口部８１と弾性シート片８６とが協働することによって、シート体５で注出体４を確実に保持させることができる。
【００７３】
以上より、本実施形態に係るパウチ容器体１は、パウチ容器２と、前記パウチ容器２に装着されるシート体５と、を備え、前記パウチ容器２は、袋体３と、前記袋体３に固定される注出体４と、を備え、前記袋体３は、対面する長尺な第１面シート３ａ及び第２面シート３ｂを備え、前記注出体４は、前記第１面シート３ａの長手方向の端部で且つ短手方向の中途部に固定され、前記シート体５は、把持される把持部６と、前記注出体４を保持する保持部８と、変形して筒状に形成され、内部に前記袋体３を収容する収容部７と、を備える。
【００７４】
斯かる構成によれば、保持部８は、注出体４を保持している。そして、収容部７は、シート体５が変形して、筒状に形成されており、袋体３は、収容部７の内部に収容されている。これにより、注出体４が第１面シート３ａの長手方向の端部で且つ短手方向の中途部に固定されるパウチ容器２に対して、把持部６を設けることができる。したがって、把持部６が把持されることで、パウチ容器２の内部に充填されている内容物を容易に注ぎ出すことができる。
【００７５】
また、本実施形態に係るパウチ容器体１においては、前記保持部８は、挿入される前記注出体４を開口縁部８１ａ〜８１ｄで保持する保持開口部８１を備え、前記開口縁部８１ａ〜８１ｄの少なくとも一部８１ａ，８１ｂは、シート片８３，８４が折り曲げられて、形成される、という構成でもよい。
【００７６】
斯かる構成によれば、保持開口部８１は、注出体４に挿入され、注出体４を開口縁部８１ａ〜８１ｄで保持している。そして、シート片８３，８４が折り曲げられることで、保持開口部８１の開口縁部８１ａ〜８１ｄの少なくとも一部８１ａ，８１ｂが、形成されているため、保持開口部８１の開口縁部８１ａ，８１ｂの剛性が大きくなる。
【００７７】
また、本実施形態に係るパウチ容器体１においては、前記保持部８は、挿入される前記注出体４を開口縁部８１ａ〜８１ｄで保持する保持開口部８１と、前記保持開口部８１と連通し、前記保持開口部８１よりも大きい連通開口部８２と、前記連通開口部８２の開口縁部の一部に接続され、前記連通開口部８２を開閉可能な開閉シート片８５と、を備え、前記開閉シート片８５の端縁部８５ｂは、前記開閉シート片８５が前記連通開口部８２を閉塞する状態で、前記保持開口部８１の前記開口縁部８１ａ〜８１ｄの一部８１ｄを構成する、という構成である。
【００７８】
斯かる構成によれば、連通開口部８２が保持開口部８１よりも大きいため、開閉シート片８５が連通開口部８２を開放した状態で、注出体４を連通開口部８２に挿入することが容易である。そして、連通開口部８２が保持開口部８１と連通しているため、注出体４は、保持開口部８１へ移動されることで、保持開口部８１に挿入され、保持開口部８１の開口縁部８１ａ〜８１ｃに保持される。
【００７９】
さらに、開閉シート片８５が連通開口部８２を閉塞する状態で、開閉シート片８５の端縁部８５ｂは、保持開口部８１の開口縁部８１ａ〜８１ｄの一部８１ｄを構成する。これにより、注出体４は、開閉シート片８５の端縁部８５ｂで保持される。
【００８０】
また、本実施形態に係るパウチ容器体１においては、前記保持部８は、挿入される前記注出体４を開口縁部８１ａ〜８１ｄで保持する保持開口部８１と、前記保持開口部８１に近づくように弾性変形された状態で、前記パウチ容器２に接する弾性シート片８６と、を備える、という構成である。
【００８１】
斯かる構成によれば、保持開口部８１は、注出体４に挿入され、注出体４を開口縁部８１ａ〜８１ｄで保持している。そして、弾性シート片８６は、保持開口部８１に近づくように弾性変形された状態で、パウチ容器２に接している。これより、弾性シート片８６は、弾性復元力によって、保持開口部８１から離れるような力をパウチ容器２に付与する。したがって、保持開口部８１と弾性シート片８６とが協働することによって、注出体４を保持開口部８１で確実に保持することができる。
【００８２】
また、本実施形態に係るパウチ容器体１においては、前記弾性シート片８６は、前記パウチ容器２に接した状態で、前記保持開口部８１の前記開口縁部８１ａ〜８１ｄの少なくとも一部８１ａ，８１ｃ，８１ｄと重なる、という構成である。
【００８３】
斯かる構成によれば、弾性シート片８６が、パウチ容器２に接した状態で、保持開口部８１の開口縁部８１ａ〜８１ｄの少なくとも一部８１ａ，８１ｃ，８１ｄと重っているため、保持開口部８１の開口縁部８１ａ，８１ｃ，８１ｄが補強される。これにより、保持開口部８１の開口縁部８１ａ，８１ｃ，８１ｄの剛性が大きくなる。
【００８４】
また、本実施形態に係るパウチ容器体１においては、前記袋体３に対する前記シート体５の内周面の摩擦係数は、前記袋体３に対する前記シート体５の外周面の摩擦係数よりも、大きい、という構成である。
【００８５】
斯かる構成によれば、袋体３に対するシート体５の内周面の摩擦係数が、袋体３に対するシート体５の外周面の摩擦係数よりも、大きいため、袋体３は、シート体５の内周面に対して滑り難くなる。
【００８６】
なお、パウチ容器体１及びシート体５は、上記した実施形態の構成に限定されるものではなく、また、上記した作用効果に限定されるものではない。また、パウチ容器体１及びシート体５は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００８７】
（１）上記実施形態に係るパウチ容器体１においては、シート体５は、１枚のシートで形成されている、という構成である。しかしながら、パウチ容器体１は、斯かる構成に限られない。例えば、シート体５は、少なくとも収容部７を構成する１枚のシートと、当該シートに固定される少なくとも一つの部品（シート状の部品だけでなく、シート状ではない立体的な部品も含む）とを備えている、という構成でもよい。
【００８８】
（２）また、上記実施形態に係るパウチ容器体１においては、保持部８は、挿入される注出体４を開口縁部８１ａ〜８１ｄで保持する保持開口部８１を備えている、という構成である。しかしながら、パウチ容器体１は、斯かる構成に限られない。例えば、保持部８は、一部が開放された凹部を備え、凹部の縁部で注出体４を保持する、という構成でもよい。また、例えば、保持部８は、一対の挟持部を備え、一対の挟持部で注出体４を挟むことによって注出体４を保持する、という構成でもよい。
【００８９】
（３）また、上記実施形態に係るパウチ容器体１においては、保持開口部８１の第１及び第２開口縁部８１ａ，８１ｂは、シート片８３，８４が折り曲げられて、形成されている、という構成である。しかしながら、パウチ容器体１は、斯かる構成に限られない。例えば、開口縁部８１ａ〜８１ｄの全ては、シート片が折り曲げられて、形成されている、という構成でもよい。また、例えば、第１開口縁部８１ａ又は第２開口縁部８１ｂの何れか一方は、シート片が折り曲げられて、形成されている、という構成でもよい。
【００９０】
（４）また、上記実施形態に係るパウチ容器体１においては、保持部８は、保持開口部８１と連通する連通開口部８２を備えている、という構成である。しかしながら、パウチ容器体１は、斯かる構成に限られない。例えば、保持部８は、連通開口部８２を備えておらず、保持開口部８１が弾性変形されることで、注出体４が保持開口部８１に挿入される、という構成でもよい。
【００９１】
（５）また、上記実施形態に係るパウチ容器体１においては、開閉シート片８５は、右端縁部に配置される接続部８５ａで、連通開口部８２の開口縁部と接続されている、という構成である。しかしながら、パウチ容器体１は、斯かる構成に限られない。
【００９２】
例えば、開閉シート片８５は、上端縁部又は下端縁部で、連通開口部８２の開口縁部と接続されている、という構成でもよい。斯かる構成によれば、開閉シート片８５は、保持開口部８１の第４開口縁部８１ｄを構成する端縁部８５ｂと交差して隣接する端縁部で、連通開口部８２の開口縁部と接続されることになる。これにより、注出体４が第４開口縁部８１ｄに加圧接触する際に、開閉シート片８５が弾性変形することを抑制することができる。
【００９３】
（６）また、上記実施形態に係るパウチ容器体１においては、弾性シート片８６は、第３折曲部８６ａで折り曲げられる（屈曲する）ように、弾性変形する、という構成である。しかしながら、パウチ容器体１は、斯かる構成に限られない。例えば、弾性シート片８６の一部又は全体は、湾曲するように弾性変形する、という構成でもよい。
【００９４】
（７）また、上記実施形態に係るパウチ容器体１においては、弾性シート片８６は、保持開口部８１の後方側に近づくように弾性変形している、という構成である。しかしながら、パウチ容器体１は、斯かる構成に限られない。例えば、弾性シート片８６は、保持開口部８１の前方側に近づくように弾性変形している、という構成でもよい。
【００９５】
（８）また、上記実施形態に係るパウチ容器体１においては、弾性シート片８６は、保持開口部８１に近づくように弾性変形されて注出体４に接した状態で、保持開口部８１の開口縁部８１ａ，８１ｃ，８１ｄと重なる、という構成である。しかしながら、パウチ容器体１は、斯かる構成に限られない。
【００９６】
例えば、弾性シート片８６は、保持開口部８１から離れる方向の弾性復元力を袋体３に付与する、という構成でもよい。具体的には、弾性シート片８６は、例えば、保持開口部８１に近づくように弾性変形されて袋体３に接した状態で、保持開口部８１の開口縁部８１ａ〜８１ｄから離れている、という構成でもよい。
【００９７】
（９）また、上記実施形態に係るパウチ容器体１においては、保持開口部８１の開口縁部８１ａ〜８１ｄは、注出体４を保持するために、第１フランジ部４ｃ及び第２フランジ部４ｄ間に位置されている、という構成である。しかしながら、パウチ容器体１は、斯かる構成に限られない。
【００９８】
例えば、保持開口部８１の開口縁部８１ａ〜８１ｄは、注出体４を保持するために、第２フランジ部４ｄよりも後方側、即ち、第２フランジ部４ｄと袋体３との間に位置されている、という構成でもよい。また、例えば、保持開口部８１の開口縁部８１ａ〜８１ｄは、注出体４を保持するために、第１フランジ部４ｃよりも前方側に位置されている、という構成でもよい。
【００９９】
（１０）また、パウチ容器体１においては、把持部６の位置は、特に限定されない。例えば、把持部６の位置は、図１４及び図１５に示すように、シート体５の周方向Ｄ４において、保持部８の位置と６０°〜１２０°だけ離れている、という構成でもよい。
【０１００】
（１１）また、パウチ容器体１においては、把持部６の構成は、特に限定されない。例えば、把持部６は、図１５に示すように、シート体５が屈曲されて、屈曲された部分が重なって把持本体部６ａを形成するように、構成されている、という構成でもよい。また、把持部６は、シート体５に固定された別部品で構成されている、という構成でもよい。
【０１０１】
（１２）また、パウチ容器体１においては、把持部６の数量は、特に限定されない。例えば、把持部６は、図１５に示すように、複数備えられている、という構成でもよい。特に、把持部６の位置が、シート体５の周方向Ｄ４において、保持部８の位置と６０°〜１２０°だけ離れている場合には、把持部６は、二つ備えられている、という構成が好ましい。
【０１０２】
（１３）また、パウチ容器体１においては、固定体１０は、必須の構成ではない。したがって、パウチ容器体１は、固定体１０を備えていない、という構成でもよい。
【０１０３】
（１３−１）例えば、上記実施形態に係るシート体５において、シート体５の一端部５ａに対して折曲部５ｃで折り曲げられた引掛シート片５ｂが、シート体５の他端部５ａに引っ掛けられることで、シート体５の端部５ａ同士が固定され、その結果、把持部６が構成される、という構成でもよい。斯かる構成によれば、把持本体部６ａの内側縁は、折曲部５ｃで形成されるため、滑らかになる。これにより、把持部６を把持することが容易になる。
【０１０４】
（１３−２）また、例えば、図１６に示すように、シート体５は、一方側の端部５ａに折曲部５ｃを介在して連結される第１引掛シート片５ｂと、第１引掛シート片５ｂに折曲部５ｅを介在して連結される第２引掛シート片５ｄとを備えている、という構成でもよい。なお、シート体５の一方側の把持開口部６ｂは、シート体５の展開時に、第１及び第２引掛シート片５ｂ，５ｄによって、閉塞されている。
【０１０５】
斯かる構成によれば、図１７に示すように、折曲部５ｃ，５ｅで折り曲げられることによって、引掛シート片５ｂ，５ｄは、シート体５の端部５ａに引っ掛けられると共に、シート体５の端部５ａ同士を包むようにして、シート体５の端部５ａ同士を固定する。これにより、把持本体部６ａの内側縁は、折曲部５ｃで形成され、また、把持本体部６ａの外側縁も、折曲部５ｅで形成される。したがって、把持部本体６ａの内側縁及び外側縁が滑らかになるため、把持部６を把持することが容易になる。
【０１０６】
（１４）また、パウチ容器体１においては、パウチ容器２は、上記実施形態に係る構成に限られない。例えば、袋体３は、第１面シート３ａと第２面シート３ｂとの長手方向の少なくとも一方の端側の間に、ガゼットシート３ｃ，３ｄを備えていない、という構成でもよい。また、例えば、袋体３は、第１面シート３ａと第２面シート３ｂとの短手方向の端側の間に、ガゼットシートを備えている、という構成でもよい。また、例えば、袋体３は、内部に内容物が充填された際に、扁平状である、という構成でもよい。
【０１０７】
（１５）また、パウチ容器体１は、袋体３がシート体５の内周面（収容部７）に対して滑ることを抑制する滑り抑制部を備えている、という構成でもよい。例えば、滑り抑制部は、袋体３とシート体５とを接着するために、袋体３とシート体５との間に配置される接着部（例えば、接着シート、接着材等）である、という構成でもよい。また、例えば、滑り抑制部は、袋体３とシート体５との間の摩擦係数を大きくするために、袋体３の外面及びシート体５の内周面の少なくとも一方に固定される高摩擦部（例えば、粘着材、ゴム材等）である、という構成でもよい。
【０１０８】
（１６）また、パウチ容器体１においては、シート体５の内周面に対する第１及び第２面シート３ａ，３ｂの外面の摩擦係数は、シート体５の内周面に対する第１及び第２ガゼットシート３ｃ，３ｄの外面の摩擦係数よりも、大きい、という構成でもよい。斯かる構成においては、例えば、第１及び第２面シート３ａ，３ｂは、外面に、摩擦係数が大きくなるために塗布された高摩擦層を備えている。
【０１０９】
（１７）また、シート体５は、図１〜図３に示すように、パウチ容器２に装着された状態のものも含み、また、図６及び図７に示すように、パウチ容器２に装着される前の状態のものも含む。
【符号の説明】
【０１１０】
１…パウチ容器体、２…パウチ容器、３…袋体、３ａ…第１面シート、３ｂ…第２面シート、３ｃ…第１ガゼットシート、３ｄ…第２ガゼットシート、３ｅ…内側部、３ｆ…外側部、４…注出体、４ａ…注出部、４ｂ…ベース部、４ｃ…第１フランジ部、４ｄ…第２フランジ部、４ｅ…中間部、４ｆ…キャップ、５…シート体、５ａ…端部、５ｂ…引掛シート片、５ｃ…折曲部、５ｄ…引掛シート片、５ｅ…折曲部、６…把持部、６ａ…把持本体部、６ｂ…把持開口部、７…収容部、８…保持部、１０…固定体、８１…保持開口部、８１ａ…第１開口縁部、８１ｂ…第２開口縁部、８１ｃ…第３開口縁部、８１ｄ…第４開口縁部、８２…連通開口部、８３…第１シート片、８３ａ…第１折曲部、８４…第２シート片、８４ａ…第２折曲部、８５…開閉シート片、８５ａ…接続部、８５ｂ…端縁部、８６…弾性シート片、８６ａ…第３折曲部、８６ｂ…第１縁部、８６ｃ…第２縁部、８６ｄ…第３縁部
【図１】
2019059539.tif 000003
【図２】
2019059539.tif 000004
【図３】
2019059539.tif 000005
【図４】
2019059539.tif 000006
【図５】
2019059539.tif 000007
【図６】
2019059539.tif 000008
【図７】
2019059539.tif 000009
【図８】
2019059539.tif 000010
【図９】
2019059539.tif 000011
【図１０】
2019059539.tif 000012
【図１１】
2019059539.tif 000013
【図１２】
2019059539.tif 000014
【図１３】
2019059539.tif 000015
【図１４】
2019059539.tif 000016
【図１５】
2019059539.tif 000017
【図１６】
2019059539.tif 000018
【図１７】
2019059539.tif 000019